(57)【要約】【課題】照明器具を交換する際に、新旧の照明器具の大きさ、および取付面の大きさが相違しても、施工調整を短時間でできる改修用器具および照明器具を提供する。【解決手段】光源１１と、光源１１と光源１１の取付面である天井１２とを覆い隠す目隠しプレート１５と、目隠しプレート１５を取付ける取付板１４とからなり、取付板１４は取付面１２の裏側に配置され、目隠しプレート１５は取付板１４に対して係合するプレート係合部であるキックばね２１を備え、取付板１４はキックばね２１が係合する係合孔１７を備える。【選択図】図１
2012238503.tif 000002
【特許請求の範囲】
【請求項１】
光源と、
前記光源と前記光源の取付面とを覆い隠す目隠しプレートと、
前記目隠しプレートを取付ける取付板とからなり、
前記取付板は前記取付面の裏側に配置され、
前記目隠しプレートは前記取付板に対して係合するプレート係合部を備え、
前記取付板は前記プレート係合部が係合する係合孔を備える改修用器具。
【請求項２】
請求項１に記載の改修用器具において、
前記プレート係合部がキックばねである改修用器具。
【請求項３】
請求項１に記載の改修用器具において、
前記プレート係合部が、ボルトである改修用器具。
【請求項４】
請求項３に記載の改修用器具において、
前記係合孔が、だるま孔である改修用器具。
【請求項５】
請求項１ないし請求項４のうちのいずれか１項に記載の改修用器具により取り付けられた照明器具。
【発明の詳細な説明】
【技術分野】
【０００１】
本発明は、改修用器具および照明器具に関する。
【背景技術】
【０００２】
従来、例えば天井に照明器具を取り付ける際には、スライド金具や、ボルト等を用いて照明器具を吊り上げて、天井の取付面に取り付けていた（例えば、特許文献１参照）。
【先行技術文献】
【特許文献】
【０００３】
【特許文献１】特開２００９−９３８３６号公報（請求項１、段落００１７、００１８、図１）
【発明の概要】
【発明が解決しようとする課題】
【０００４】
しかしながら、従来の技術では、天井に設けられた照明器具を交換する際に、新旧の照明器具の大きさ、あるいは取付面の大きさが異なる場合は、施工調整に時間がかかるという問題があった。
【０００５】
本発明は、照明器具を交換する際に、新旧の照明器具の大きさ、あるいは取付面の大きさが異なる場合でも、施工調整を短時間でできる改修用器具および照明器具を提供することにある。
【課題を解決するための手段】
【０００６】
本発明の改修用器具は、光源と、前記光源と前記光源の取付面とを覆い隠す目隠しプレートと、前記目隠しプレートを取付ける取付板とからなり、前記取付板は前記取付面の裏側に配置され、前記目隠しプレートは前記取付板に対して係合するプレート係合部を備え、前記取付板は前記プレート係合部が係合する係合孔を備える。
【０００７】
ここで、前記プレート係合部がキックばねである。
【０００８】
また、前記プレート係合部が、ボルトである。
【０００９】
また、前記係合孔が、だるま孔である。
【００１０】
本発明の照明器具は、上記改修用器具のいずれかにより取り付けられている。
【発明の効果】
【００１１】
本発明によれば、光源を取り付けようとする取付面の裏側に配置される取付板の係合孔に、目隠しプレートのプレート係合部を係合させることにより、光源の大きさ、あるいは取付面の大きさに拘わらず、取付板、目隠しプレートおよび光源を簡単に取付けできるため、施工調整を短時間で行うことができる。
【図面の簡単な説明】
【００１２】
【図１】本発明に係る第１実施形態の照明器具を示す断面図
【図２】第１実施形態の取付板を示す平面図
【図３】第２実施形態の照明器具を示す断面図
【図４】第２実施形態の取付板を示す平面図
【図５】第３実施形態の照明器具を示す断面図
【図６】第３実施形態の取付板を示す斜視図
【図７】第４実施形態の取付板を示す平面図
【図８】第４実施形態の取付板を折り畳んだ状態を示す斜視図
【図９】第５実施形態の目隠しプレートを示す断面図
【発明を実施するための形態】
【００１３】
以下、本発明に係る実施形態について、図面を参照して説明する。
（第１実施形態）
図１は、本発明に係る第１実施形態の改修用器具を適用した照明器具１０を示す。この照明器具１０は、光源１１と、光源１１と光源１１の取付面である天井１２とを覆い隠す目隠しプレート１５と、を備えている。
【００１４】
また、照明器具１０は、目隠しプレート１５を取付ける取付板１４とを備えている。取付板１４は天井１２の裏側に配置され、目隠しプレート１５は取付板１４に対して係合するプレート係合部であるキックばね２１を備えている。また、取付板１４はキックばね２１が係合する係合孔１７を備えている。
【００１５】
次に、上記各構成要素について説明する。取付板１４は、天井１２における裏側に載置されて取り付けられている。この取付板１４は、図２に示すように、長方形状に形成され、中央に光源１１を挿通させる挿通孔１６が設けられ、長辺方向における挿通孔１６の両側に、一対の係合孔１７が設けられている。取付板１４における長手方向の両端部は、天井１２の裏面側における取付孔１３の周縁部に載置される。
【００１６】
図１に示すように、目隠しプレート１５は、光源１１のフランジ部１９と天井１２との間に挟まれて保持されている。この目隠しプレート１５は、長方形状に形成され、その中央部に光源１１を挿通させる挿通孔２０が設けられている。挿通孔２０の両側には、取付板１４の係合孔１７に係合されるプレート係合部としてのキックばね２１が一対設けられている。
【００１７】
第１実施形態の照明器具１０によれば、取付板１４を天井１２における裏面側に載置し、取付板１４に取り付けた光源１１を、取付孔１３に挿通させるだけで、光源１１を天井１２に簡単に取り付けできる。従って、光源１１や、取付孔１３の大きさにかかわらず、施工調整を短時間で行うことができる。
【００１８】
また、プレート係合部が、キックばね２１によって形成されているため、係合孔１７から抜けにくくなる。
【００１９】
また、光源１１のフランジ部１９と、天井１２との間に目隠しプレート１５を挟むだけで、目隠しプレート１５により、光源１１の取付面および天井１２を覆うことができ、体裁を良好に保持できる。
【００２０】
（第２実施形態）
図３は、第２実施形態の改修用器具を適用した照明器具３０を示す。なお、第１実施形態と同様の部分には、同一の符号を付けて詳細な説明を省略する。
【００２１】
この照明器具３０は、図４に示すように、取付板１４に、係合孔であるだるま孔２３が設けられている。また、目隠しプレート１５に、取付板１４のだるま孔２３に係合されるプレート係合部であるボルト２２が設けられている。だるま孔２３の大径部は、ボルト２２のナットが通る大きさに形成され、少径部はナットが係合される大きさに形成されている。
【００２２】
この照明器具３０によれば、目隠しプレート１５の係合部は、ボルト２２によって形成されているため、市販品を使用でき、コストダウンが可能である。
【００２３】
また、ボルト２２にナットをつけたままだるま孔２３に通し、小径側にずらすことにより簡単に係合させることができるため、施工性が良好になる。
【００２４】
（第３実施形態）
図５は、第３実施形態の照明器具４０を示す。この照明器具４０の取付板３１は、互いに対向する両端部３２，３２に、天井１２の取付孔１３に係合する係合部３３が設けられている。
【００２５】
取付板３１は、図６に示すように、長方形状に形成されている。係合部３３は、長辺の両端縁部３２，３２における中央部から垂下し、所定の長さを有している。係合部３３が設けられていない両端部３８，３８は、取付孔１３の周壁部に載置される載置部である。
【００２６】
第３実施形態の照明器具４０によれば、取付板３１に係合部３３を簡単に設けることができ、コストダウンが可能になる。
【００２７】
また、取付板３1には、互いに対向する両端部３２に、係合部３３が設けられているため、取付板３１を確実に位置決めできる。
【００２８】
また、取付板３１の長手方向の両端部３８に載置部が設けられているため、取付孔１３が大きい場合でも、取付板３１を確実に取り付けできる。
【００２９】
（第４実施形態）
図７は、第４実施形態の取付板３４を示す。この取付板３４は、中心軸線から折り畳み可能に形成されている。ここでは、取付板３４が、長手方向の中心軸線によって二分割され、中心軸線上における挿通孔２０の両側に、ヒンジ（蝶番）３５，３５が設けられている。
【００３０】
この取付板３４は、図８に示すように、ヒンジ３５，３５によって中心軸線から折り畳むことが可能になる。このように、取付板３４を折り畳んだ状態で、天井１２の取付孔１３から天井１２の裏側に挿入し、取付板３４を開いた状態で天井１２の裏側に載置して固定できる。
【００３１】
この取付板３４によれば、折り畳むことにより、大きさの異なる取付孔１３に容易に挿入でき、取付板３４を広げることにより、天井１２に容易に取り付けできる。また、取付板３４を折り畳むことにより、収納スペースを小さくできる。
【００３２】
また、取付板３４は、ヒンジ３５により折り畳まれるため、構成を簡略化し、コストダウンできる。
【００３３】
（第５実施形態）
図９は、第５実施形態の目隠しプレート３６を示す。この目隠しプレート３６は、天井１２の取付孔１３に係合される一対の係合片３７，３７を有している。目隠しプレート３６は、光源１１のフランジ部１９と、天井１２との間に挟まれて保持されている。
【００３４】
この目隠しプレート３６によれば、光源１１のフランジ部１９と、天井１２との間に挟まれて保持されているため、構成を簡略化してコストダウンできる。
また、目隠しプレート３６に、取付孔１３に係合される係合片３７が設けられているため、目隠しプレート３６が取付孔１３に対して位置ずれするのを防止でき、体裁を良好に保持できる。
【符号の説明】
【００３５】
１０  照明器具
１１  光源
１２  天井
１３  取付孔
１４  取付板
１５  目隠しプレート
１６  挿通孔
１７  係合孔
１９  フランジ部
２０  挿通孔
２１  キックばね（プレート係合部）
２２  ボルト
２３  だるま孔
３０  照明器具
３１  取付板
３２  両端縁部
３３  係合部
３４  取付板
３５  ヒンジ
３６  目隠しプレート
３７  係合片
３８  載置部
４０  照明器具
【図１】
2012238503.tif 000003
【図２】
2012238503.tif 000004
【図３】
2012238503.tif 000005
【図４】
2012238503.tif 000006
【図５】
2012238503.tif 000007
【図６】
2012238503.tif 000008
【図７】
2012238503.tif 000009
【図８】
2012238503.tif 000010
【図９】
2012238503.tif 000011